(57)【特許請求の範囲】
【請求項１】
遊技球が入賞可能な入賞口を開放または拡大する開放位置と該入賞口を閉鎖または縮小する閉鎖位置とに変位可能な一対の開閉部材と、
前記開閉部材に連繋接続されて前記入賞口への遊技球の入賞により該開閉部材を開閉駆動し、第１の通電状態では開閉部材を前記開放位置に変位させて通電停止により当該開放位置で開閉部材を停止保持する一方、第２の通電状態では開閉部材を前記閉鎖位置に変位させて通電停止により当該閉鎖位置で開閉部材を停止保持するキープソレノイドと、
前記入賞口に入賞した遊技球を検出する入賞球検出手段とを備えた入賞装置が配設された遊技機に適用される入賞球数検査システムであって、
前記遊技機に設けられ、前記入賞装置の入賞球検出手段から遊技球の検出信号が入力される制御手段と、
前記遊技機の外部に設けられ、前記制御手段に対して電気的に配線接続される試射試験手段とを備え、
前記制御手段には、前記入賞装置の入賞球検出手段からの検出信号の入力に基づいて、前記キープソレノイドを第１の通電状態とした後に通電停止する開放信号およびキープソレノイドを第２の通電状態とした後に通電停止する閉鎖信号の何れかの信号と、入賞信号とを、前記試射試験手段に対して出力する信号出力手段が設けられ、
前記試射試験手段には、
前記信号出力手段から出力された開放信号、閉鎖信号および入賞信号が入力される信号入力手段と、
前記信号入力手段に対して開放信号が入力された場合には前記入賞装置を開放状態として記憶する一方、該信号入力手段に対して閉鎖信号が入力された場合には入賞装置を閉鎖状態として記憶する記憶手段と、
前記記憶手段が入賞装置を開放状態として記憶している状態で前記信号入力手段に対して入賞信号が入力された場合には、入賞装置の開放時における入賞として判定する一方、該記憶手段が入賞装置を閉鎖状態として記憶している状態で信号入力手段に対して入賞信号が入力された場合には、入賞装置の閉鎖時における入賞として判定する入賞球判定手段とが設けられる
ことを特徴とする入賞球数検査システム。
【請求項２】
前記遊技機は、前記入賞装置として、第１の入賞装置と、該第１の入賞装置が閉鎖した後に当該第１の入賞装置の閉鎖に連動して開放する第２の入賞装置とが設けられており、
前記信号出力手段は、
前記開放信号、閉鎖信号および入賞信号の出力に併せて、入賞装置を特定する入賞装置特定信号を前記試射試験手段の信号入力手段へ出力するよう設定されると共に、前記第１の入賞装置に対する閉鎖信号および入賞装置特定信号を出力した後には、前記第２の入賞装置に対する開放信号および入賞装置特定信号を信号入力手段へ出力するよう設定され、
前記記憶手段は、
前記第１の入賞装置および第２の入賞装置の開閉状態を個別に記憶し得るよう構成されて、前記信号入力手段に対して開放信号が入力された場合には、該開放信号に併せて入力された入賞装置特定信号に対応する前記第１の入賞装置または第２の入賞装置を開放状態として記憶する一方、該信号入力手段に対して閉鎖信号が入力された場合には、該閉鎖信号に併せて入力された入賞装置特定信号に対応する前記第１の入賞装置または第２の入賞装置を閉鎖状態として記憶するよう設定され、
前記入賞球判定手段は、
前記記憶手段が前記第１の入賞装置を開放状態として記憶している状態で前記信号入力手段に対して第１の入賞装置を特定する入賞装置特定信号を伴った入賞信号が入力された場合には、該第１の入賞装置の開放時における入賞として判定する一方、該記憶手段が第１の入賞装置を閉鎖状態として記憶している状態で信号入力手段に対して第１の入賞装置を特定する入賞装置特定信号を伴った入賞信号が入力された場合には、当該第１の入賞装置の閉鎖時における入賞として判定するよう設定されると共に、
前記記憶手段が前記第２の入賞装置を開放状態として記憶している状態で前記信号入力手段に対して第２の入賞装置を特定する入賞装置特定信号を伴った入賞信号が入力された場合には、該第２の入賞装置の開放時における入賞として判定する一方、該記憶手段が第２の入賞装置を閉鎖状態として記憶している状態で信号入力手段に対して第２の入賞装置を特定する入賞装置特定信号を伴った入賞信号が入力された場合には、当該第２の入賞装置の閉鎖時における入賞として判定するよう設定される請求項１記載の入賞球数検査システム。
【請求項３】
前記遊技機には、前記第１および第２の入賞装置とは別に、入賞口に対する遊技球の入賞領域を可変不能な別の入賞装置が設けられて、該別の入賞装置への遊技球の入賞に連動して第１の入賞装置が開放するよう構成され、
前記信号出力手段は、前記別の入賞装置の入賞球検出手段からの検出信号の入力に基づいて、入賞信号と該別の入賞装置を特定する入賞装置特定信号とを前記試射試験手段の信号入力手段に対して出力した後に、前記第１の入賞装置に対する開放信号および入賞装置特定信号を出力するよう設定される請求項２記載の入賞球数検査システム。
【発明の詳細な説明】
【技術分野】
【０００１】
本発明は、入賞口への遊技球の入賞により開閉部材を開閉する入賞装置を備えた遊技機に適用され、該入賞口へ入賞した遊技球の球数を検査する入賞球数検査システムに関するものである。
【背景技術】
【０００２】
遊技機の一種として、複数設けられたチューリップとも称される開閉機構を備えた入賞装置の開閉動作により持ち玉を増やしていくというゲーム性を有する所謂普通機が知られている(例えば、特許文献１参照)。このような普通機に用いられる入賞装置は、パチンコ球が入賞する入賞口を挟む左右位置に下端部を支点として揺動可能な一対の開閉部材が対向配置されており、これら一対の開閉部材を相互に近接離間するよう揺動することで入賞口を開閉するよう構成されて、入賞口へのパチンコ球の入賞により開閉部材を開放位置および閉鎖位置に順次切換えるようになっている。そして、前記入賞装置の開閉部材を開閉動作させる構成としては、入賞口に入賞したパチンコ球の重量により作動するリンク機構を利用して機械的に開閉部材を動作させる構成(例えば、特許文献１参照)や、電磁ソレノイド等の電動駆動手段で開閉部材を動作させる構成(例えば、特許文献２参照)が知られている。
【０００３】
【特許文献１】実公平２−２９９７７号公報
【特許文献２】特開２００４−２６７２８４号公報
【発明の開示】
【発明が解決しようとする課題】
【０００４】
ところで、前述した普通機のような遊技機では、完成した遊技機において前記入賞装置へのパチンコ球の入賞確率等が設計段階等における所期の性能を満たしているかを確認する試射試験が行なわれる。この試射試験では、機外に別途設けた端末等の試射試験手段に対して遊技機を電気的に接続して、入賞装置へのパチンコ球の入賞総数や、入賞装置における前記開閉部材が開放する状態および閉鎖する状態でのパチンコ球の入賞数等の遊技機に関する各種データが自動的に計測されるようになっている。しかしながら、前述のように開閉部材を機械的に開閉動作する構成の入賞装置では、開閉部材の開閉状態を直接判定することは困難なことから、入賞装置へのパチンコ球の入賞総数から開閉部材の開放状態および閉鎖状態での入賞数を推測する必要があり、試験結果の信頼性に乏しい問題がある。機械的に開閉動作する入賞装置において試験結果の信頼性を高めるには、開閉部材の開閉状態を検出するセンサと、該センサを用いて開閉部材の開閉状態を判定する試験用ロジック基板とを別途用意し、該ロジック基板からの信号を試射試験手段に出力する必要がある。すなわち、試射試験にのみ用いるセンサやロジック基板を別途用意することによるコスト上の問題や、試験時におけるセンサやロジック基板の組み付け・組み外し等の作業上の問題点が指摘される。なお、電磁ソレノイドを利用して開閉部材を開閉動作させる入賞装置を用いる場合であっても、該入賞装置における開閉部材の開閉状態を試射試験手段で判定する技術については提案されておらず、前述した開閉部材を機械的に開閉動作する構成の入賞装置と同様の問題を内在しているものであった。
【０００５】
そこで、本発明は、入賞口への遊技球の入賞により開閉部材を開閉する入賞装置を備えた遊技機において、別部材を用いることなく入賞口への入賞球数を正確に検査し得る入賞球数検査システムを提供することを目的とする。
【課題を解決するための手段】
【０００６】
前記課題を克服し、所期の目的を達成するため、請求項１に係る入賞球数検査システムは、
遊技球(B)が入賞可能な入賞口(41a〜48a)を開放または拡大する開放位置と該入賞口(41a〜48a)を閉鎖または縮小する閉鎖位置とに変位可能な一対の開閉部材(54,55)と、
前記開閉部材(54,55)に連繋接続されて前記入賞口(41a〜48a)への遊技球(B)の入賞により該開閉部材(54,55)を開閉駆動し、第１の通電状態では開閉部材(54,55)を前記開放位置に変位させて通電停止により当該開放位置で開閉部材(54,55)を停止保持する一方、第２の通電状態では開閉部材(54,55)を前記閉鎖位置に変位させて通電停止により当該閉鎖位置で開閉部材(54,55)を停止保持するキープソレノイド(60)と、
前記入賞口(41a〜48a)に入賞した遊技球(B)を検出する入賞球検出手段(77)とを備えた入賞装置(41〜48)が配設された遊技機(10)に適用される入賞球数検査システムであって、
前記遊技機(10)に設けられ、前記入賞装置(41〜48)の入賞球検出手段(77)から遊技球(B)の検出信号が入力される制御手段(CT)と、
前記遊技機(10)の外部に設けられ、前記制御手段(CT)に対して電気的に配線接続される試射試験手段(PC)とを備え、
前記制御手段(CT)には、前記入賞装置(41〜48)の入賞球検出手段(77)からの検出信号の入力に基づいて、前記キープソレノイド(60)を第１の通電状態とした後に通電停止する開放信号およびキープソレノイド(60)を第２の通電状態とした後に通電停止する閉鎖信号の何れかの信号と、入賞信号とを、前記試射試験手段(PC)に対して出力する信号出力手段(82)が設けられ、
前記試射試験手段(PC)には、
前記信号出力手段(82)から出力された開放信号、閉鎖信号および入賞信号が入力される信号入力手段(90)と、
前記信号入力手段(90)に対して開放信号が入力された場合には前記入賞装置(41〜48)を開放状態として記憶する一方、該信号入力手段(90)に対して閉鎖信号が入力された場合には入賞装置(41〜48)を閉鎖状態として記憶する記憶手段(92)と、
前記記憶手段(92)が入賞装置(41〜48)を開放状態として記憶している状態で前記信号入力手段(90)に対して入賞信号が入力された場合には、入賞装置(41〜48)の開放時における入賞として判定する一方、該記憶手段(92)が入賞装置(41〜48)を閉鎖状態として記憶している状態で信号入力手段(90)に対して入賞信号が入力された場合には、入賞装置(41〜48)の閉鎖時における入賞として判定する入賞球判定手段(94)とが設けられることを要旨とする。
【０００７】
このように、入賞口への遊技球の入賞によりキープソレノイドが開閉部材を開閉するよう駆動制御される入賞装置を備える遊技機に設けた制御手段に、入賞口に入賞した遊技球を入賞球検出手段が検出して検出信号が入力された際に、入賞装置の開放信号および閉鎖信号の何れかの信号と、入賞信号とが信号出力手段から機外の試射試験手段に対して出力される。すなわち、この試射試験手段は、入賞信号の入力により、入賞装置の入賞口に対する入賞球の総数を正確に判定することができる。そして、前記試射試験手段に入賞装置の開閉状態を記憶する記憶手段を設けて、該記憶手段が入賞装置の開放状態を記憶している場合に入賞信号が入力された際には開閉部材の開放時における入賞として判定し、該記憶手段が入賞装置の閉鎖状態を記憶している場合に入賞信号が入力された際には開閉部材の閉鎖時における入賞として入賞球判定手段が判定することで、開閉部材が開放している状態における入賞口への遊技球の入賞球数や、開閉部材が閉鎖している状態における入賞口への遊技球の入賞球数についても、正確に識別することが可能となる。すなわち、別部材を用いることなく入賞口への入賞球数を正確に検査することができる。
【０００８】
また、開閉部材を開閉する駆動源としてキープソレノイドを用いることにより、入賞口へ入賞する遊技球の飛び込み方向や速度とは関係なく確実に開閉部材を開閉作動することができるから、開閉部材の開閉不良を防止して試射試験の結果の信頼性を向上し得る。更に、開閉部材を開閉駆動する駆動源としてキープソレノイドを用いたことで、該キープソレノイドに通電することなく開閉部材を閉鎖位置や開放位置で保持し得る。従って、入賞口への遊技球の入賞間隔によって開閉部材が閉鎖位置や開放位置で長時間保持される場合であっても、ソレノイドの発熱等の不具合が発生することはない。
【０００９】
請求項２に係る入賞球数検査システムは、前記遊技機(10)は、前記入賞装置(41〜48)として、第１の入賞装置(41,43,45)と、該第１の入賞装置(41,43,45)が閉鎖した後に当該第１の入賞装置(41,43,45)の閉鎖に連動して開放する第２の入賞装置(42,44,46)とが設けられており、
前記信号出力手段(82)は、
前記開放信号、閉鎖信号および入賞信号の出力に併せて、入賞装置(41〜46)を特定する入賞装置特定信号を前記試射試験手段(PC)の信号入力手段(90)へ出力するよう設定されると共に、前記第１の入賞装置(41,43,45)に対する閉鎖信号および入賞装置特定信号を出力した後には、前記第２の入賞装置(42,44,46)に対する開放信号および入賞装置特定信号を信号入力手段(90)へ出力するよう設定され、
前記記憶手段(92)は、
前記第１の入賞装置(41,43,45)および第２の入賞装置(42,44,46)の開閉状態を個別に記憶し得るよう構成されて、前記信号入力手段(90)に対して開放信号が入力された場合には、該開放信号に併せて入力された入賞装置特定信号に対応する前記第１の入賞装置(41,43,45)または第２の入賞装置(42,44,46)を開放状態として記憶する一方、該信号入力手段(90)に対して閉鎖信号が入力された場合には、該閉鎖信号に併せて入力された入賞装置特定信号に対応する前記第１の入賞装置(41,43,45)または第２の入賞装置(42,44,46)を閉鎖状態として記憶するよう設定され、
前記入賞球判定手段(94)は、
前記記憶手段(92)が前記第１の入賞装置(41,43,45)を開放状態として記憶している状態で前記信号入力手段(90)に対して第１の入賞装置(41,43,45)を特定する入賞装置特定信号を伴った入賞信号が入力された場合には、該第１の入賞装置(41,43,45)の開放時における入賞として判定する一方、該記憶手段(92)が第１の入賞装置(41,43,45)を閉鎖状態として記憶している状態で信号入力手段(90)に対して第１の入賞装置(41,43,45)を特定する入賞装置特定信号を伴った入賞信号が入力された場合には、当該第１の入賞装置(41,43,45)の閉鎖時における入賞として判定するよう設定されると共に、
前記記憶手段(92)が前記第２の入賞装置(42,44,46)を開放状態として記憶している状態で前記信号入力手段(90)に対して第２の入賞装置(42,44,46)を特定する入賞装置特定信号を伴った入賞信号が入力された場合には、該第２の入賞装置(42,44,46)の開放時における入賞として判定する一方、該記憶手段(92)が第２の入賞装置(42,44,46)を閉鎖状態として記憶している状態で信号入力手段(90)に対して第２の入賞装置(42,44,46)を特定する入賞装置特定信号を伴った入賞信号が入力された場合には、当該第２の入賞装置(42,44,46)の閉鎖時における入賞として判定するよう設定されることを要旨とする。
【００１０】
このように、入賞口への遊技球の入賞により開閉部材の開閉状態が連動する第１の入賞装置と第２の入賞装置とを設けた場合であっても、制御手段における信号出力手段から開放信号、閉鎖信号および入賞信号の出力に併せて入賞装置を特定する入賞装置特定信号が出力されるよう設定したことで、何れの入賞装置に対応した開放信号、閉鎖信号、入賞信号が入力されたかを試射試験手段で判定して、記憶手段に第１の入賞装置および第２の入賞装置の開閉状態を個別に記憶することができる。従って、前記記憶手段が記憶している第１および第２の入賞装置の開閉状態と、信号入力手段に入力される入賞装置特定信号および入賞信号とに基づいて入賞球判定手段が入賞球を判定することで、第１の入賞装置における開閉部材が開放している状態での第１の入賞装置への入賞球数と、該第１の入賞装置における開閉部材が閉鎖している状態での第１の入賞装置への入賞球数と、第２の入賞装置における開閉部材が開放している状態での第２の入賞装置への入賞球数と、該第２の入賞装置における開閉部材が閉鎖している状態での第２の入賞装置への入賞球数とを、正確に区別して識別することができる。すなわち、開閉状態が連動する入賞装置を設けることにより、開閉部材の開閉状態と各入賞装置へ入賞した遊技球との関係が複雑になっても、試射試験手段が正確に識別できるから、各入賞装置の入賞口への入賞球数を開閉部材の開閉状態に合わせて正確に検査することができる。
【００１１】
請求項３に係る入賞球数検査システムは、前記遊技機(10)には、前記第１および第２の入賞装置(41〜46)とは別に、入賞口(34a〜34c)に対する遊技球(B)の入賞領域を可変不能な別の入賞装置(30)が設けられて、該別の入賞装置(30)への遊技球(B)の入賞に連動して第１の入賞装置(41,43,45)が開放するよう構成され、
前記信号出力手段(82)は、前記別の入賞装置(30)の入賞球検出手段(77)からの検出信号の入力に基づいて、入賞信号と該別の入賞装置(30)を特定する入賞装置特定信号とを前記試射試験手段(PC)の信号入力手段(90)に対して出力した後に、前記第１の入賞装置(41,43,45)に対する開放信号および入賞装置特定信号を出力するよう設定されることを要旨とする。
【００１２】
すなわち、入賞口に対する遊技球の入賞領域を可変不能な固定式の入賞装置を設けると共に、該固定式の入賞装置に対する遊技球の入賞と、第１の入賞装置における開閉部材の開閉状態とを連動することで、各入賞装置へ入賞した遊技球との関係が複雑になっても、前記信号出力手段が出力する入賞信号、開放信号および入賞装置特定信号により、何れの入賞装置への遊技球の入賞かを正確に識別し得ると共に、第１および第２の入賞装置の開閉状態も正確に識別することができるから、各入賞装置の入賞口への入賞球数を開閉部材の開閉状態に合わせて正確に検査することができる。
【発明の効果】
【００１３】
本発明に係る入賞球数検査システムによれば、入賞口への遊技球の入賞により開閉部材を開閉する入賞装置を備えた遊技機において、別部材を用いることなく入賞口への入賞球数を正確に検査可能である。
【発明を実施するための最良の形態】
【００１４】
次に、本発明に係る入賞球数検査システムにつき、好適な実施例を挙げて、添付図面を参照しながら以下詳細に説明する。なお実施例では、入賞球数検査システムを適用する遊技機として、遊技媒体としてパチンコ球を使用して遊技を行なうパチンコ機を例にして説明する。また、以下の説明において、「前」・「後」および「左」・「右」とは、図２に示すようにパチンコ機を正面側(遊技者側)から見た状態を基準として、遊技者側を前方と指称し、パチンコ機の裏側を後方と指称するものとする。
【実施例】
【００１５】
(パチンコ機について)
実施例に係るパチンコ機１０は、図２に示すように、遊技店に設けられた「島」とも称される設置枠台(図示せず)に固定される外枠１１と、該外枠１１に対して着脱および開閉可能に枢支された中枠１２と、該中枠１２に着脱交換可能に取り付けられて所要の遊技領域２０ａが画成される遊技盤２０と、中枠１２の前面側に着脱および開閉可能に枢支され、遊技盤２０を透視保護する前枠１３とを備えている。前記前枠１３には、下方位置にパチンコ球Ｂ(図７参照)を貯留可能な上球皿１４が組み付けられており、前枠１３の開閉に合わせて該上球皿１４が一体的に開閉するようになっている。また、前記中枠１２の前側における前記前枠１３の下方には、パチンコ球Ｂを貯留可能な下球皿１６を形成した球皿部材１５が着脱および開閉可能に組み付けられている。なお、前記中枠１２における球皿部材１５の右方位置には、操作ハンドル１７が設けられており、該操作ハンドル１７を操作することで、中枠１２に配設された打球発射機構部(図示せず)の作動により上球皿１４のパチンコ球Ｂが遊技盤２０へ向けて発射されるようになっている。
【００１６】
また、パチンコ機１０の裏側には、パチンコ機１０の全体を制御する主制御装置ＣＴ(図１参照)や、前記打球発射機構部を制御する発射制御装置(図示せず)、後述する各入賞口３１ａ,３４ａ,３４ｂ,３４ｃ,４１ａ〜４８ａ,４９ａへのパチンコ球Ｂの入賞時に球払出装置を作動制御して賞球払い出しを制御する球払出制御装置(図示せず)等の各種制御装置が配設されている。そして、図１または図２に示すように、パチンコ機１０に対する性能検査を行なう際には、パチンコ機１０の外部に設けた試射試験手段ＰＣと前記主制御装置ＣＴとを電気的に配線接続し、主制御装置ＣＴから試射試験手段ＰＣに対して、各種信号(後述する入賞信号、開放信号、閉鎖信号、入賞装置特定信号)を出力することで、全入賞口３１ａ,３４ａ,３４ｂ,３４ｃ,４１ａ〜４８ａ,４９ａへの入賞総数、各入賞口３１ａ,３４ａ,３４ｂ,３４ｃ,４１ａ〜４８ａ,４９ａの個別の入賞球数、可変入賞装置４１〜４８(後述)の開閉状態に応じた入賞口４１ａ〜４８ａへの入賞球数等に関する所定の単位時間あたりの実データを試射試験手段ＰＣで算出して、算出された実データがパチンコ機１０について予め設定された基準値に合致しているかを検査するよう構成される。ここで、前記試射試験手段ＰＣは、各種情報処理を行なうコンピュータ等の端末である。
【００１７】
(遊技盤について)
図３に示すように、前記遊技盤２０の前面には、略円形状に湾曲させた案内レール２１により遊技領域２０ａが画成されており、前記打球発射機構部の作動により発射されたパチンコ球Ｂが案内レール２１を介して遊技領域２０ａ内に飛入するよう構成されている。また、前記遊技盤２０における遊技領域２０ａ内には、複数の入賞装置３０,４１〜４９が配設されており、遊技領域２０ａ内を流下するパチンコ球Ｂが入賞装置３０,４１〜４９に入賞することにより遊技が展開されるようになっている。
【００１８】
図３に示すように、前記遊技盤２０には、前記複数の入賞装置として、遊技領域２０ａの略中央部に配置された演出用入賞装置(別の入賞装置)３０と、開閉部材５４,５５を揺動することでパチンコ球Ｂが入賞する入賞口４１ａ〜４８ａを開閉し得る可変入賞装置(入賞装置)４１〜４８と、パチンコ球Ｂが入賞可能な入賞口４９ａ,４９ａを開閉不能な固定入賞装置４９,４９とが配設されている。なお、遊技盤２０における遊技領域２０ａの適宜位置には、風車とも称されてパチンコ球Ｂの流下方向を変更する案内車２２や、遊技状態に応じて照射パターンが変更制御される電飾装置２３等の各種遊技部品が配設される。
【００１９】
(演出用入賞装置について)
前記演出用入賞装置３０は、図３に示すように、前方へ開口する入賞空間３２が形成された本体３１と、該本体３１の入賞空間３２内に動作可能に配設した演出部材３３と、本体３１の前側下部に設けられて入賞空間３２内に開口する入賞口３４ａ,３４ｂ,３４ｃおよび排出口３５,３５とを備えている。また、前記本体３１の上部位置には、前記入賞空間３２に連通してパチンコ球Ｂが入賞可能な上部入賞口３１ａが設けられており、遊技領域２０ａを流下するパチンコ球Ｂが上部入賞口３１ａを介して入賞空間３２内に導入されるようになっている。前記演出部材３３は、前記本体３１に対して傾斜状態で自由回転可能に支持されており、入賞空間３２内に導入されたパチンコ球Ｂが演出部材３３上を流下する過程で、演出部材３３がパチンコ球Ｂの自重により回転して、パチンコ球Ｂの流下方向を予測不能に変更するよう構成されている。また、前記本体３１の前側下部には、中央に位置する中央入賞口３４ａ、右端部に位置する右入賞口３４ｂおよび左端部に位置する左入賞口３４ｃの３つの入賞口が設けられており、隣り合う入賞口３４ａ,３４ｂ(３４ａ,３４ｃ)の間に前記排出口３５,３５が設けられている。すなわち、前記入賞空間３２に導入されたパチンコ球Ｂは、演出部材３３により流下方向を変更しつつ中央入賞口３４ａおよび左右の入賞口３４ｂ,３４ｃの何れかに入賞するか、排出口３５,３５に通入するようになっている。
【００２０】
(入賞球検出センサについて)
また、前記演出用入賞装置３０の本体３１には、前記上部入賞口３１ａ、中央入賞口３４ａおよび左右の入賞口３４ｂ,３４ｃの夫々に対応する位置に、パチンコ球Ｂを検出する入賞球検出センサ(入賞球検出手段)７７が設けられており、上部入賞口３１ａ、中央入賞口３４ａおよび左右の入賞口３４ｂ,３４ｃに入賞したパチンコ球Ｂを個別に検出し得るようになっている。前記各入賞球検出センサ７７は、前記主制御装置ＣＴに電気的に配線接続されており、該入賞球検出センサ７７がパチンコ球Ｂを検出した場合に、検出信号が主制御装置ＣＴに出力されるようになっている。なお、入賞球検出センサ７７としては、パチンコ球Ｂを１球ずつ検出可能なものあれば、光センサや磁気センサ、マイクロスイッチ等の従来公知のセンサを採用し得る。
【００２１】
(可変入賞装置について)
図３に示すように、前記遊技盤２０に配設された可変入賞装置４１〜４８は、前記演出用入賞装置３０の下方に離間して配置された第１可変入賞装置(第１の入賞装置)４１と、この第１可変入賞装置４１の下方に離間して配置された第２可変入賞装置(第２の入賞装置)４２と、演出用入賞装置３０の右側上方位置に離間して配置された第３可変入賞装置(第１の入賞装置)４３と、該第３可変入賞装置４３の下方に離間して配設された第４可変入賞装置(第２の入賞装置)４４と、演出用入賞装置３０の左側上方位置に離間して配置された第５可変入賞装置(第１の入賞装置)４５と、該第５可変入賞装置４５の下方に離間して配設された第６可変入賞装置(第２の入賞装置)４６と、第２可変入賞装置４２の右側上方位置に離間して配置された第７可変入賞装置４７と、第２可変入賞装置４２の左側上方位置に離間して配置された第８可変入賞装置４８とから構成されており、第４可変入賞装置４４および第６可変入賞装置４６の下方位置に、前記固定入賞装置４９,４９が夫々配設されている。すなわち、実施例に係るパチンコ機１０では、遊技盤２０の略中央位置に配設した大型入賞装置としての前記演出用入賞装置３０の周りに、８個の可変入賞装置と２つの固定入賞装置４９,４９が設けられている。
【００２２】
ここで、前記第１〜第８可変入賞装置４１〜４８の夫々は、自己の入賞装置へのパチンコ球Ｂの入賞により、自己の開閉部材５４,５５を開閉するよう前記主制御装置ＣＴにより制御される。更に、前記第１〜第６可変入賞装置４１〜４６は、所定条件に従って、他の入賞口４１ａ〜４６ａへのパチンコ球Ｂの入賞に連動して、自己の開閉部材５４,５５を開閉するよう前記主制御装置ＣＴにより制御される。具体的には、前記演出用入賞装置３０の中央入賞口３４ａへのパチンコ球Ｂの入賞に連動して前記第１可変入賞装置４１の入賞口４１ａを開放するよう制御されると共に、該第１可変入賞装置４１の入賞口４１ａへのパチンコ球Ｂの入賞に連動して前記第２可変入賞装置４２の入賞口４２ａを開放するよう制御される。また、前記演出用入賞装置３０の中央入賞口３４ａおよび右入賞口３４ｂへのパチンコ球Ｂの入賞に連動して前記第３可変入賞装置４３の入賞口４３ａを開放するよう制御されると共に、該第３可変入賞装置４３の入賞口４３ａへのパチンコ球Ｂの入賞に連動して前記第４可変入賞装置４４の入賞口４４ａを開放するよう制御される。更に、前記演出用入賞装置３０の中央入賞口３４ａおよび左入賞口３４ｃへのパチンコ球Ｂの入賞に連動して前記第５可変入賞装置４５の入賞口４５ａを開放するよう制御されると共に、該第５可変入賞装置４５の入賞口４５ａへのパチンコ球Ｂの入賞に連動して前記第６可変入賞装置４６の入賞口４６ａを開放するよう制御される。
【００２３】
前記第１〜第８可変入賞装置４１〜４８は、基本的に同一の部材により形成された同一構成部材であり、図４、図５または図７に示すように、前記遊技盤２０に取り付けられる板状の取付板５０の前面側に設けられて前記入賞口４１ａ〜４８ａを構成する入賞部５１と、該取付板５０の裏側に設けられて遊技盤２０に開設した装着孔(図示せず)に収容される装置本体５８とから基本的に構成されている。ここで、前記入賞部５１は、前記取付板５０の前面側に取り付けられた上方および後方に開口する飾り部材５２と、該取付板５０および飾り部材５２の前面板部５２ａの間に揺動可能に配設される左右一対の開閉部材５４,５５とから構成され、該左右一対の開閉部材５４,５５の間に前記入賞口４１ａ〜４８ａが画成されるようになっている。
【００２４】
(開閉部材について)
前記左右一対の開閉部材５４,５５は、互いに左右対称な形状で上方に向かって徐々に薄肉となる所謂フラップ状に形成されて、下端部に前後に貫通する軸孔５４ａ,５５ａが穿設されている。そして、前記飾り部材５２における前面板部５２ａの左右に離間する位置に後方へ向けて延在するよう形成された支軸５２ｂ,５２ｂを、各開閉部材５４,５５の軸孔５４ａ,５５ａに挿通したもとで、飾り部材５２を取付板５０に組み付けることにより、飾り部材５２に対して上端部(先端部)が相互に近接および離間する方向へ揺動し得るよう前記各開閉部材５４,５５が枢支される。また、前記各開閉部材５４,５５における軸孔５４ａ,５５ａの近傍には、前記取付板５０に開設した開口部(図示せず)を介して取付板５０の裏側まで延在する突起部５４ｂ,５５ｂが夫々形成されており、該突起部５４ｂ,５５ｂに対して後述する揺動部材６６が係合するようになっている(図８参照)。
【００２５】
ここで、前記左右一対の開閉部材５４,５５は、両開閉部材５４,５５の上端部が上方を指向する起立姿勢(図５参照)で、両開閉部材５４,５５間に１個のパチンコ球Ｂが通過し得る間隙が形成されて、左右一対の開閉部材５４,５５間の間隙が前記入賞口４１ａ〜４８ａとして機能するようになっている。すなわち、前記左右一対の開閉部材５４,５５は、両開閉部材５４,５５間に１個のパチンコ球Ｂが通過し得る間隙が形成される閉鎖位置(図３に二点鎖線で図示。または図５参照)と、該閉鎖位置から上端部が相互に離間する方向へ揺動した開放位置(図３に実線で図示)との間を揺動し得るよう構成される。従って、前記左右一対の開閉部材５４,５５の揺動に伴って、前記入賞口４１ａ〜４８ａにおけるパチンコ球Ｂの入賞領域が拡大・縮小するようになっている。
【００２６】
(装置本体について)
前記装置本体５８には、図４および図６に示すように、前後方向に動作するプランジャ６１を往復駆動させるキープソレノイド６０と、前記左右一対の開閉部材５４,５５とプランジャ６１とに連繋され、該プランジャ６１の往復動作に連動して開閉部材５４,５５を開閉作動させる揺動部材６６とが配設されると共に、前記入賞口４１ａ〜４８ａに入賞したパチンコ球Ｂを通出案内する案内路６４が形成されている。ここで、前記案内路６４は、前記開閉部材５４,５５の突起部５４ｂ,５５ｂを挿通する前記取付板５０の開口部を介して、前記入賞口４１ａ〜４８ａに連通するよう構成されている。なお、実施例においては、図７に示す如く、キープソレノイド６０は揺動部材６６の上方に位置し、前記プランジャ６１が該揺動部材６６の上方を前後にスライドするよう構成される。
【００２７】
(キープソレノイドについて)
ここで、前記キープソレノイド６０は、通電により移動したプランジャ６１を永久磁石の磁気吸着力により保持することで、通電停止した状態(無通電)の状態でもプランジャ６１の位置をそのまま保持し得るソレノイドであって、ラッチソレノイドや自己保持型ソレノイド等と称されることもある。実施例のキープソレノイド６０は、プランジャ６１の前端部に円盤状の係合板６１ａが設けられると共に、該係合板６１ａとコイルを内蔵したソレノイド本体６０ａとの間にバネ等からなる弾性部材６２が介装されており、弾性部材６２の弾性力によりプランジャ６１(係合板６１ａ)が前方に向けて付勢されるよう構成されている。そして、コイルに対して所定方向へ電流が流れるよう通電(第１の通電状態)して励磁することで、弾性部材６２の弾性力に抗してプランジャ６１(係合板６１ａ)が後方移動し、図示しない永久磁石の吸着力により通電停止してもプランジャ６１(係合板６１ａ)が後方移動した状態で保持されるようになっている(図８(b)参照)。一方、コイルに対して前記第１の通電状態とは反対方向に電流が流れるよう通電(第２の通電状態)して励磁することで、永久磁石の吸着力に抗してプランジャ６１(係合板６１ａ)が前方移動し、通電停止後は弾性部材６２の弾性力によりプランジャ６１(係合板６１ａ)が前方移動した状態で保持されるよう構成されている(図８(a)参照)。
【００２８】
(揺動部材について)
前記揺動部材６６は、図７〜図９に示すように、前端が上下の二股状に形成されて前記右側の開閉部材５４の突起部５４ｂが係合する第１アーム部６８と、同様に前端が上下の二股状に形成されて前記左側の開閉部材５５の突起部５５ｂが係合する第２アーム部６９と、両アーム部６８,６９の後部上側に設けられて前記キープソレノイド６０のプランジャ６１に連繋接続する前後の第１連繋部７０および第２連繋部７４とから構成される。ここで、前側に位置する前記第１連繋部７０は、前記第２アーム部６９に連結されて、該第１および第２アーム部６８,６９間の略中央位置まで延在するよう形成されている。すなわち、第１連繋部７０は、前記第１アーム部６８からは分断されている。一方、後側に位置する第２連繋部７４は、前記第１および第２アーム部６８,６９の間に一連に形成されて、両アーム部６８,６９を連結している。
【００２９】
また、前記第１および第２アーム部６８,６９の相互に離間する外側面には、外側に向けて揺動軸６８ａ,６９ａが夫々突設されており、該揺動軸６８ａ,６９ａを装置本体５８に設けた所要の軸孔(図示せず)に挿通することで、該揺動軸６８ａ,６９ａを中心として前端が上下動するよう揺動部材６６が揺動可能に支持される。そして、前記揺動部材６６の前端が下がった状態では、第１および第２アーム部６８,６９に連繋接続した開閉部材５４,５５が閉鎖位置に変位され、揺動部材６６の前端が上がった状態では、第１および第２アーム部６８,６９に連繋接続した開閉部材５４,５５が開放位置に変位されるようになっている。また、装置本体５８において前記揺動部材６６の各アーム部６８,６９と各連繋部７０,７４とによって囲まれるスペースに、前記案内路６４が前後方向に延在するよう形成されている。なお、前記案内路６４は、前記装置本体５８の後端部において下方に開口する開口部(図示せず)が形成されており、該案内路６４を通出したパチンコ球Ｂを装置外部へ排出するようになっている。
【００３０】
図４または図９に示すように、前記第１連繋部７０には、第１アーム部６８に近接する端部側に当接部７１が形成されており、前記揺動部材６６の前端が下がった状態において、前方移動したキープソレノイド６０のプランジャ６１(係合板６１ａ)の下端が当接部７１の上面に当接するよう構成されている。すなわち、キープソレノイド６０を第２の通電状態としてプランジャ６１を前方移動させた状態では、前記係合板６１ａが第１連繋部７０の当接部７１に当接することにより揺動部材６６の上方への揺動が規制され、開閉部材５４,５５が閉鎖位置に保持される。この状態における前記当接部７１の上面は、プランジャ６１のスライド方向に対して平行になると共に、該当接部７１の上面後端部は、弧状に湾曲形成されており、プランジャ６１が前後移動する際に当接部７１に干渉しないよう構成されている。また、図８(b)に示すように、前記キープソレノイド６０を第１の通電状態としてプランジャ６１が後方移動した状態では、前記係合板６１ａと当接部７１との係合が解除されて揺動部材６６の揺動が許容されるよう構成されている。
【００３１】
前記第１連繋部７０の後方に位置する第２連繋部７４は、キープソレノイド６０を第１の通電状態としてプランジャ６１が後方移動する過程で、前記係合板６１ａの後端面が当接するよう形成されている。すなわち、キープソレノイド６０を第１の通電状態としてプランジャ６１が後方移動した際に、係合板６１ａが第２連繋部７４に当接した状態でプランジャ６１が後方移動することで、揺動部材６６の前端が上方へ揺動され、開閉部材５４,５５が閉鎖位置から開放位置へ変位するようになっている。また、第２連繋部７４の下面には、図７に示すように、前記案内路６４を通過するパチンコ球Ｂとプランジャ６１との間に位置するよう磁気遮蔽部材７５が設けられており、キープソレノイド６０の励磁時に、プランジャ６１の磁力がパチンコ球Ｂに影響するのを磁気遮蔽部材７５で抑制するよう構成している。
【００３２】
ここで、前記プランジャ６１が前方移動して係合板６１ａの下部が第１連繋部７０の当接部７１に当接した状態では、該第１連繋部７０が直接連結する前記第２アーム部６９の動作は規制されるから、左側の開閉部材５５を手指等により操作して強制的に開放しようとしても該左側の開閉部材５５は開放不能である。その一方で、前記第１アーム部６８は前記第１連繋部７０に直接連結していないことから、前記右側の開閉部材５４を手指等により操作すると、揺動部材６６の捻れ(主として第２連繋部７４の捻れ)により強制的な開放が可能となる。すなわち、実施例の第１〜第８可変入賞装置４１〜４８では、右側の開閉部材５４は手指等により強制開放が許容される一方で、左側の開閉部材５５の手指等による強制開放を規制するよう構成されている。なお、前記右側の開閉部材５４を手指等により強制開放した際に、該右側の開閉部材５４は略１球分だけ開放するようになっている。
【００３３】
また、前記装置本体５８の下部位置には、前記入賞口４１ａ〜４８ａに入賞して案内路６４を通過したパチンコ球Ｂを検出する入賞球検出センサ７７が配設されている。実施例では、前記第１〜第８可変入賞装置４１〜４８に設けられる入賞球検出センサ７７は、前記演出用入賞装置３０に配設された入賞球検出センサ７７と同一構成のものが採用されており、同一の符号を付すものとする。なお、前記第１〜第８可変入賞装置４１〜４８に設けられる入賞球検出センサ７７と、前記演出用入賞装置３０に配設された入賞球検出センサ７７とを異なる構成のセンサを採用することができるのは当然である。
【００３４】
次に、前述した第１〜第８可変入賞装置４１〜４８の構成に係る作用につき説明する。前記キープソレノイド６０を第２の通電状態として通電停止した状態にあっては、始動入賞装置の左右一対の開閉部材５４,５５は閉成位置に保持される。すなわち、図８(a)に示すように、前記プランジャ６１は、係合板６１ａが揺動部材６６の当接部７１の上面に当接したまま停止状態にある。これにより、前記揺動部材６６の揺動が規制され、前記左右一対の開閉部材５４,５５の強制開放は基本的に抑制されることとなる。そして、前記キープソレノイド６０を第１の通電状態とすると、図８(a)に示す如く、前記プランジャ６１の係合板６１ａが前記当接部７１に当接した状態から、図８(b)に示すように、該プランジャ６１が後方へスライドする。これにより、前記当接部７１と係合板６１ａとの当接が解除されると共に、係合板６１ａが前記第２連繋部７４に係合し、前記揺動部材６６が揺動軸６８ａ,６９ａを中心に前端が上昇する方向(図８における時計回り方向)へ揺動する。このとき、前記当接部７１の上面形状は、揺動部材６６が規制状態にある姿勢において、プランジャ６１のスライド方向と平行になるよう設定されているので、該当接部７１が係合板６１ａに干渉することはない。更に、前記当接部７１の上面後端部は下方へ湾曲した形状とされているので、プランジャ６１はスムーズに当接部７１から離脱し得る。
【００３５】
前記プランジャ６１により揺動部材６６が揺動されて前記第１および第２アーム部６８,６９が上昇することで、両アーム部６８,６９に係合する突起部５４ｂ,５５ｂが持ち上げられ、左右一対の開閉部材５４,５５が閉鎖位置から開放位置へ変位する。左右一対の開閉部材５４,５５が開放すると、前記第１〜第８可変入賞装置４１〜４８の入賞口４１ａ〜４８ａへのパチンコ球Ｂの入賞領域が拡大され、パチンコ球Ｂが入賞し易くなる。前記入賞口４１ａ〜４８ａに入賞したパチンコ球Ｂは、前記取付板５０に開設した開口部を介して前記案内路６４を介して後方へ案内され、遊技盤２０の裏側で排出される。このとき、案内路６４を通過するパチンコ球Ｂとプランジャ６１との間に磁気遮蔽部材７５が介在しているので、該プランジャ６１の磁力がパチンコ球Ｂに作用し難くなっている。これにより、スペースを通過するパチンコ球Ｂがプランジャ６１に吸着してしまい、スペース内で球詰まりが起きるのは防止される。
【００３６】
ところで、前記遊技盤２０に植設される釘や取付板５０の前面に別途形成した規制部により、前記左右の開閉部材５４,５５が閉鎖位置にある状態において入賞口４１ａ〜４８ａへのパチンコ球Ｂの入賞を不能としたパチンコ機の場合には、閉鎖位置に変位した左右一対の開閉部材５４,５５の手指等による開放を完全に阻止してしまうと、該入賞口４１ａ〜４８ａに対して作業者が入賞球確認作業に際してパチンコ球Ｂを直接入賞させることは不可能となってしまう。そこで、実施例に係る第１〜第８可変入賞装置４１〜４８では、前記第１連繋部７０を第１アーム部６８から離間させたことで、キープソレノイド６０を第２の通電状態とした後に通電停止してプランジャ６１により第１連繋部７０の移動を規制した状態にあっても、右側の開閉部材５４を強制開放すれば、主として前記第２連繋部７４の弾性変形により第１アーム部６８の揺動が許容される。すなわち、左右の開閉部材５４,５５が閉鎖位置にある状態での入賞口４１ａ〜４８ａへのパチンコ球Ｂの入賞が不能となるよう構成した場合であっても、前記第１連繋部７０に連結する右側の開閉部材５４をパチンコ球Ｂ略１球分だけ強制的に開放させることができるから、入賞口４１ａ〜４８ａの入賞領域を強制的に拡大して、作業者の作業効率の向上が図られる。
【００３７】
しかも、右側の開閉部材５４,５５を強制開放し得る量をパチンコ球Ｂ略１球分に設定したことで、仮に、不正遊技者が針金等で右側の開閉部材５４を強制的に開放させたとしても、前記入賞口４１ａ〜４８ａにパチンコ球Ｂを１球ずつしか入賞させることができない。すなわち、ゴト行為によって不正獲得される賞球数を、僅かに抑えることができる。また、前記第１連繋部７０における第２アーム部６９側は、プランジャ６１によって規制された状態にあるので、前記第２連繋部７４が撓むことがなく、第２アーム部６９は揺動不能となる。従って、不正遊技者が針金等で左側の開閉部材５４,５５の強制開放を図ったとしても、該左側の開閉部材５５が開放されるのを防止できる。
【００３８】
(主制御装置における制御態様について)
次に、前記演出用入賞装置３０の中央入賞口３４ａ、左右の入賞口３４ｂ,３４ｃ、第１〜第８可変入賞装置４１〜４８の入賞口４１ａ〜４８ａ、固定入賞装置４９,４９の入賞口４９ａ,４９ａへのパチンコ球Ｂの入賞時における前記主制御装置ＣＴにおける制御態様につき説明する。
【００３９】
前記主制御装置ＣＴは、図１に示すように、前記第１〜第８可変入賞装置４１〜４８の開閉状態を個別に記憶するＲＡＭ等の記憶内容を書換え可能な第１記憶手段８０と、前記入賞球検出センサ７７からの検出信号の入力により、第１記憶手段８０の記憶状態に基づいて各種信号を出力する信号出力手段８２と、キープソレノイド６０に対する通電停止を制御する駆動回路８４とが設けられている。ここで、前記信号出力手段８２から出力される信号としては、パチンコ球Ｂの入賞を示す入賞信号と、パチンコ球Ｂが入賞した入賞装置３０,４１〜４９の入賞口３４ａ〜３４ｃ,４１ａ〜４９ａ(すなわち検出信号を出力した入賞球検出センサ７７)を特定する入賞装置特定信号と、キープソレノイド６０を第１の通電状態とする開放信号と、キープソレノイド６０を第２の通電状態とする閉鎖信号と、キープソレノイド６０を通電停止する停止信号とが設定されている。なお、前記信号出力手段８２から出力される信号は、前半１ビットに開放信号、閉鎖信号および入賞信号の何れかの信号で、後半３ビットが入賞装置を特定する入賞装置特定信号となっている４ビット信号である。
【００４０】
そして、前記第１〜第８可変入賞装置４１〜４８に対応する入賞球検出センサ７７からの検出信号の入力があると、前記第１記憶手段８０が記憶する開閉状態に基づいて対応する可変入賞装置４１〜４８の開閉状態を変更する必要があるかを判定し、開閉状態を変更する場合には、開閉状態を変更する可変入賞装置４１〜４８を特定する入賞装置特定信号と、開放信号または閉鎖信号とが前記信号出力手段８２から駆動回路８４に出力され、これら信号の出力後に停止信号を駆動回路８４に出力するよう設定される。そして、駆動回路８４は、開放信号が入力された場合には、入賞装置特定信号により特定される可変入賞装置４１〜４８のキープソレノイド６０を第１の通電状態となるよう通電制御し、開放信号が入力された場合には、入賞装置特定信号により特定される可変入賞装置４１〜４８のキープソレノイド６０を第２の通電状態となるよう通電制御すると共に、停止信号の入力により、当該キープソレノイド６０への通電を停止して、キープソレノイド６０を開放状態または閉鎖状態で保持するようになっている。
【００４１】
また、前記第１記憶手段８０は、前記信号出力手段８２から開放信号が出力された場合には、該開放信号に併せて出力された入賞装置特定信号に対応する可変入賞装置４１〜４８を開放状態として記憶する一方、該信号出力手段８２から閉鎖信号が出力された場合には、該閉鎖信号に併せて出力された入賞装置特定信号に対応する可変入賞装置４１〜４８を閉鎖状態として記憶するよう設定されている。
【００４２】
そして、前記入賞球検出センサ７７から検出信号が入力されると、前記信号出力手段８２は、前記入賞信号と、検出信号を入力した入賞球検出センサ７７に対応する入賞装置特定信号とを前記試射試験手段ＰＣに出力するよう設定されている。更に、前記第１〜第８可変入賞装置４１〜４８の開閉状態を変更する場合には、前記信号出力手段８２は、前記駆動回路８４に対して出力した入賞装置特定信号、開放信号または閉鎖信号と同じ信号を前記試射試験手段ＰＣに対して出力するよう設定されている。
【００４３】
前記信号出力手段８２から試射試験手段ＰＣに対する信号の出力制御に関し、図１０〜図１２を用いて更に詳細に説明する。なお、図１０〜図１２において、信号出力手段８２が出力する入賞装置特定信号により特定される入賞装置３０,４１〜４８(入賞口３４ａ〜３４ｃ,４１ａ〜４８ａ)を、実施例で用いた符号で示すようにした。従って、例えば図１０の欄Ａ−１においては、演出用入賞装置３０の中央入賞口３４ａを特定する入賞装置特定信号が出力されることを示している。
【００４４】
(演出用入賞装置の各入賞口への入賞に対する信号出力制御について)
前記演出用入賞装置３０の中央入賞口３４ａに対応する入賞球検出センサ７７からの検出信号が入力された場合には、前記信号出力手段８２は、入賞信号と中央入賞口３４ａを特定する入賞装置特定信号とからなる４ビット信号を前記試射試験手段ＰＣに対して出力(図１０の欄Ａ−１)した後に、第１可変入賞装置４１に対する開放信号と第１可変入賞装置４１を特定する入賞装置特定信号、第３可変入賞装置４３に対する開放信号と第３可変入賞装置４３を特定する入賞装置特定信号、第５可変入賞装置４５に対する開放信号と第５可変入賞装置４５を特定する入賞装置特定信号の３種類の４ビット信号を試射試験手段ＰＣに出力するよう設定されている(図１０の欄Ａ−２〜Ａ−４)。また、前記演出用入賞装置３０の右入賞口３４ｂに対応する入賞球検出センサ７７からの検出信号が入力された場合には、前記信号出力手段８２は、入賞信号と右入賞口３４ｂを特定する入賞装置特定信号とからなる４ビット信号を試射試験手段ＰＣに対して出力した後に、第３可変入賞装置４３に対する開放信号と第３可変入賞装置４３を特定する入賞装置特定信号とからなる４ビット信号を試射試験手段ＰＣに出力するよう設定される(図１０の欄Ｂ−１,Ｂ−２)。更に、前記演出用入賞装置３０の左入賞口３４ｃに対応する入賞球検出センサ７７からの検出信号が入力された場合には、前記信号出力手段８２は、入賞信号と左入賞口３４ｃを特定する入賞装置特定信号とからなる４ビット信号を前記試射試験手段ＰＣに対して出力した後に、第５可変入賞装置４５に対する開放信号と第５可変入賞装置４５を特定する入賞装置特定信号とからなる４ビット信号を試射試験手段ＰＣに出力するよう設定される(図１０の欄Ｃ−１,Ｃ−２)。
【００４５】
(第１〜第６可変入賞装置の各入賞口への入賞に対する信号出力制御について)
次に、相互に連動する第１可変入賞装置４１と第２可変入賞装置４２、第３可変入賞装置４３と第４可変入賞装置４４、第５可変入賞装置４５と第６可変入賞装置４６の夫々に対するパチンコ球Ｂの入賞に対する信号の出力制御形態につき説明する。なお実施例では、第１可変入賞装置４１と第２可変入賞装置４２、第３可変入賞装置４３と第４可変入賞装置４４、第５可変入賞装置４５と第６可変入賞装置４６の各組み合わせにおける信号の制御態様は同一に設定されており、以下の説明では、第１可変入賞装置４１と第２可変入賞装置４２の組み合わせに対する信号の出力制御形態についてのみ説明する。すなわち、第３および第５可変入賞装置４３,４５に対しては、パチンコ球Ｂの入賞に対して、第１可変入賞装置４１と同様の信号出力制御がなされ、第４および第６可変入賞装置４４,４６に対しては、パチンコ球Ｂの入賞に対して、第２可変入賞装置４２と同様の信号出力制御がなされるようになっている。
【００４６】
(第１可変入賞装置の入賞口への入賞に対する信号出力制御)
前記主制御装置ＣＴの第１記憶手段８０が前記第１可変入賞装置４１を閉鎖状態として記憶している状態で第１可変入賞装置４１に対応する入賞球検出センサ７７から検出信号が入力された場合には、前記信号出力手段８２は、入賞信号を伴った第１可変入賞装置４１に対応する入賞装置特定信号を４ビット信号として前記試射試験手段ＰＣへ出力(図１１の欄Ｄ−１)した後に、開放信号を伴った当該第１可変入賞装置４１に対応する入賞装置特定信号を４ビット信号として試射試験手段ＰＣへ出力するよう設定される(図１１の欄Ｄ−２)。すなわち、第１可変入賞装置４１は、前述のように前記演出用入賞装置３０の中央入賞口３４ａへパチンコ球Ｂが入賞した場合に加えて、当該第１可変入賞装置４１の開閉部材５４,５５が閉鎖位置にある状態で入賞口４１ａにパチンコ球Ｂが入賞した場合に、開閉部材５４,５５が閉鎖位置から開放位置に変位して入賞口４１ａを開放するようになっている。なお、前記第３可変入賞装置４３および第５可変入賞装置４５の場合には、前述したように前記演出用入賞装置３０の中央入賞口３４ａへパチンコ球Ｂが入賞した場合に加えて、該演出用入賞装置３０における対応の左右の入賞口３４ｂ,３４ｃに入賞した場合に、開閉部材５４,５５が閉鎖位置から開放位置に変位して入賞口４３ａまたは入賞口４５ａを開放し、更に第３可変入賞装置４３および第５可変入賞装置４５の入賞口４３ａ,４５ａにパチンコ球が入賞した場合にも対応する入賞口４３ａまたは入賞口４５ａが開放するものである。
【００４７】
また、前記主制御装置ＣＴの第１記憶手段８０が前記第１可変入賞装置４１を開放状態として記憶している状態で第１可変入賞装置４１に対応する入賞球検出センサ７７から検出信号が入力された場合には、前記信号出力手段８２は、該検出信号が入力される毎に入賞信号を伴った第１可変入賞装置４１に対応する入賞装置特定信号を４ビット信号として前記試射試験手段ＰＣへ出力(図１１の欄Ｄ−３)し、この入賞信号の出力回数が前記第１記憶手段８０に記憶される。そして、前記主制御装置ＣＴの第１記憶手段８０が第１可変入賞装置４１を開放状態として記憶している状態において、第１可変入賞装置４１に対応する入賞装置特定信号を伴った入賞信号が前記信号出力手段８２から予め定めた回数(実施例では２回)出力(図１１の欄Ｄ−３,Ｄ−４)された後に、閉鎖信号を伴った第１可変入賞装置４１に対応する入賞装置特定信号を４ビット信号として前記試射試験手段ＰＣへ出力するよう設定される(図１１の欄Ｄ−５)。更にその後に、前記第２可変入賞装置４２に対する開放信号および入賞装置特定信号を４ビット信号として試射試験手段ＰＣへ出力するよう設定される(図１１の欄Ｄ−６)。すなわち、実施例に係るパチンコ機１０は、第１可変入賞装置４１の開閉部材５４,５５が開放した状態で入賞口４１ａに所定個数(実施例では２個)のパチンコ球Ｂが入賞すると、当該第１可変入賞装置４１の開閉部材５４,５５を閉成して、第２可変入賞装置４２の開閉部材５４,５５を開放するよう構成される。
【００４８】
(第２可変入賞装置の各入賞口への入賞に対する信号出力制御)
前記主制御装置ＣＴの第１記憶手段８０が第２可変入賞装置４２を閉鎖状態として記憶している状態で第２可変入賞装置４２に対応する入賞球検出センサ７７から検出信号が入力された場合には、前記信号出力手段８２は、入賞信号を伴った第２可変入賞装置４２に対応する入賞装置特定信号を４ビット信号として前記試射試験手段ＰＣへ出力(図１１の欄Ｅ−１)した後に、開放信号を伴った当該第２可変入賞装置４２に対応する入賞装置特定信号を４ビット信号として試射試験手段ＰＣへ出力するよう設定される(図１１の欄Ｅ−２)。すなわち、第２可変入賞装置４２は、前述のように前記第１可変入賞装置４１へパチンコ球Ｂが入賞した場合に加えて、当該第２可変入賞装置４２の開閉部材５４,５５が閉鎖位置にある状態で入賞口４２ａに１個のパチンコ球Ｂが入賞した場合に、開閉部材５４,５５が閉鎖位置から開放位置に変位して入賞口４２ａを開放するよう構成される。
【００４９】
また、前記主制御装置ＣＴの第１記憶手段８０が前記第２可変入賞装置４２を開放状態として記憶している状態で第２可変入賞装置４２に対応する入賞球検出センサ７７から検出信号が入力された場合には、前記信号出力手段８２は、該検出信号が入力される毎に入賞信号を伴った第２可変入賞装置４２に対応する入賞装置特定信号を４ビット信号として前記試射試験手段ＰＣへ出力(図１１の欄Ｅ−３)し、この入賞信号の出力回数が前記第１記憶手段８０に記憶される。そして、前記主制御装置ＣＴの第１記憶手段８０が第２可変入賞装置４２を開放状態として記憶している状態において、第２可変入賞装置４２に対応する入賞装置特定信号を伴った入賞信号が前記信号出力手段８２から予め定めた回数(実施例では１回)出力(図１１の欄Ｅ−３)された後に、閉鎖信号を伴った第２可変入賞装置４２に対応する入賞装置特定信号を４ビット信号として前記試射試験手段ＰＣへ出力するよう設定される(図１１の欄Ｅ−４)。すなわち、実施例に係る第２可変入賞装置４２は、該第２可変入賞装置４２の開閉部材５４,５５が開放した状態で所定個数(実施例では１個)のパチンコ球Ｂが入賞すると、当該第２可変入賞装置４２の開閉部材５４,５５を閉成するよう構成されている。
【００５０】
(第７および第８可変入賞装置の各入賞口への入賞に対する信号出力制御について)
次に、前記第７可変入賞装置４７と第８可変入賞装置４８の入賞口４７ａ,４８ａに対するパチンコ球Ｂの入賞に対する信号の出力制御形態につき説明する。なお、前記第７可変入賞装置４７および第８可変入賞装置４８の夫々は、同一の制御態様に設定されており、以下の説明では、第７可変入賞装置４７の入賞口４７ａに係るパチンコ球Ｂの入賞に対する信号の出力制御形態についてのみ説明する。
【００５１】
前記主制御装置ＣＴの第１記憶手段８０が第７可変入賞装置４７を閉鎖状態として記憶している状態で対応する入賞球検出センサ７７から検出信号が入力された場合には、信号出力手段８２は、入賞信号を伴った第７可変入賞装置４７に対応する入賞装置特定信号を４ビット信号として前記試射試験手段ＰＣへ出力(図１２の欄Ｆ−１)した後に、開放信号を伴った当該第７可変入賞装置４７に対応する入賞装置特定信号を４ビット信号として試射試験手段ＰＣへ出力するよう設定される(図１２の欄Ｆ−２)。そして、前記主制御装置ＣＴの第１記憶手段８０が前記第７可変入賞装置４７を開放状態として記憶している状態で対応する入賞球検出センサ７７から検出信号が入力された場合には、前記信号出力手段８２は、該検出信号が入力される毎に入賞信号を伴った第７可変入賞装置４７に対応する入賞装置特定信号を４ビット信号として前記試射試験手段ＰＣへ出力(図１２の欄Ｆ−３)し、この入賞信号の出力回数が前記第１記憶手段８０に記憶される。そして、前記主制御装置ＣＴの第１記憶手段８０が第７可変入賞装置４７を開放状態として記憶している状態において、第７可変入賞装置４７に対応する入賞装置特定信号を伴った入賞信号が前記信号出力手段８２から予め定めた回数(実施例では２回)出力(図１２の欄Ｆ−３,Ｆ−４)された後に、閉鎖信号を伴った第７可変入賞装置４７に対応する入賞装置特定信号を４ビット信号として前記試射試験手段ＰＣへ出力するよう設定される(図１２の欄Ｆ−５)。すなわち、第７可変入賞装置４７は、閉鎖状態で１個のパチンコ球が入賞することで開閉部材５４,５５を開放し、第７可変入賞装置４７の開閉部材５４,５５が開放した状態で入賞口４７ａに所定個数(実施例では２個)のパチンコ球Ｂが入賞すると、当該第７可変入賞装置４７の開閉部材５４,５５を閉成するよう構成される。
【００５２】
また、前記主制御装置ＣＴは、パチンコ機１０への電源投入時には、前記第１〜第８可変入賞装置４１〜４８のキープソレノイド６０を第１の通電状態として各可変入賞装置４１〜４８の開閉部材５４,５５を閉鎖位置に変位させたもとで通電停止する初期化処理が行なわれるよう制御され、これにより前記第１記憶手段８０が各可変入賞装置４１〜４８の開閉状態を正確に記憶するようになっている。また、前記主制御装置ＣＴと試射試験手段ＰＣとを電気的に配線接続した際には、前記第１記憶手段８０が記憶している各可変入賞装置４１〜４８の開閉状態を前記主制御装置ＣＴの信号出力手段８２から試射試験手段ＰＣに出力する状態認識処理が行なわれるよう制御される。従って、パチンコ機１０への電源投入時には、前記主制御装置ＣＴの信号出力手段８２から試射試験手段ＰＣに対して、閉鎖信号と入賞装置特定信号とからなる４ビット信号が全ての可変入賞装置４１〜４８に対応して出力される。
【００５３】
(試射試験手段における制御態様について)
次に、前記主制御装置ＣＴの信号出力手段８２から各種信号が入力された試射試験手段ＰＣでの制御態様につき説明する。
【００５４】
前記試射試験手段ＰＣには、図１に示すように、前記信号出力手段８２から出力された各種信号(開放信号、閉鎖信号、入賞信号、入賞装置特定信号)が入力される信号入力手段９０と、信号入力手段９０に入力された各種信号に基づいて、前記第１〜第８可変入賞装置４１〜４８の開閉状態を個別に記憶するＲＡＭ等の記憶内容を書換え可能な第２記憶手段(記憶手段)９２と、信号入力手段９０に入力された各種信号および第２記憶手段９２が記憶する第１〜第８可変入賞装置４１〜４８の開閉状態に基づいて、各入賞装置３０,４１〜４９の入賞口３４ａ〜３４ｃ,４１ａ〜４９ａへの入賞球を判定する入賞球判定手段９４と、該入賞球判定手段９４の判定に基づいて入賞球数をカウントするカウント手段９６とが設けられている。そして、前記第２記憶手段９２は、前記信号入力手段９０に対して開放信号が入力された場合には、該開放信号に併せて入力された入賞装置特定信号に対応する第１〜第８可変入賞装置４１〜４８を開放状態として記憶する一方、該信号入力手段９０に対して閉鎖信号が入力された場合には、該閉鎖信号に併せて入力された入賞装置特定信号に対応する第１〜第８可変入賞装置４１〜４８を閉鎖状態として記憶するよう設定されている。また、前記カウント手段９６がカウントした入賞球数は、前記第２記憶手段９２に記憶され、該カウント手段９６のカウント毎に第２記憶手段９２が記憶する入賞球数が書き換えられるようになっている。ここで、前記第２記憶手段９２が記憶するデータとしては、全入賞口３１ａ,３４ａ,３４ｂ,３４ｃ,４１ａ〜４８ａ,４９ａへの入賞総数、各入賞口３１ａ,３４ａ,３４ｂ,３４ｃ,４１ａ〜４８ａ,４９ａの個別の入賞球数、可変入賞装置４１〜４８(後述)の開閉状態に応じた入賞口４１ａ〜４８ａへの入賞球数等に関するものであり、該第２記憶手段９２の記憶内容に基づいて各入賞球数に関する所定の単位時間あたりの実データを試射試験手段ＰＣで算出するよう設定されている。
【００５５】
(入賞口の入賞領域が可変しない入賞装置)
入賞口３４ａ〜３４ｃ,４１ａ〜４９ａの入賞領域が拡縮しない前記演出用入賞装置３０および固定入賞装置４９のパチンコ球Ｂが入賞した場合につき説明する。演出用入賞装置３０における中央入賞口３４ａおよび左右の入賞口３４ｂ,３４ｃにパチンコ球Ｂが入賞したことにより、パチンコ球Ｂが入賞した演出用入賞装置３０(入賞口３４ａ〜３４ｃ)を特定した入賞装置特定信号を伴った入賞信号が前記主制御装置ＣＴの信号出力手段８２から信号入力手段９０に入力されると、前記入賞球判定手段９４は、信号入力手段９０に入力された入賞装置特定信号に対応する演出用入賞装置３０の入賞口３４ａ〜３４ｃにパチンコ球Ｂが入賞したものとして判定する(図１０のＡ−１,Ｂ−１,Ｃ−１)。同様に、前記固定入賞装置４９の入賞口４９ａにパチンコ球Ｂが入賞したことにより、固定入賞装置４９(入賞口４９ａ)を特定した入賞装置特定信号を伴った入賞信号が前記主制御装置ＣＴの信号出力手段８２から信号入力手段９０に入力されると、前記入賞球判定手段９４は、固定入賞装置４９の入賞口４９ａにパチンコ球Ｂが入賞したものとして判定する。そして、この入賞球判定手段９４の判定に従って、前記カウント手段９６が演出用入賞装置３０の中央入賞口３４ａ、左右の入賞口３４ｂ,３４ｃ、固定入賞装置４９の入賞口４９ａ毎に入賞球数を個別にカウントする。すなわち、前記演出用入賞装置３０の中央入賞口３４ａおよび左右の入賞口３４ｂ,３４ｃや固定入賞装置４９の入賞口４９ａにパチンコ球Ｂが入賞した場合には、各入賞口３４ａ〜３４ｃ,４９ａに入賞したパチンコ球Ｂの数がそのまま入賞球数としてカウントされる。
【００５６】
(第１〜第８可変入賞装置について)
次に、開閉部材５４,５５の開閉により入賞口４１ａ〜４８ａの入賞領域が拡縮する第１〜第８可変入賞装置４１〜４８にパチンコ球Ｂが入賞した場合につき説明する。前記第２記憶手段９２が第１〜第８可変入賞装置４１〜４８を開放状態として記憶している状態で、パチンコ球Ｂが入賞した入賞装置４１〜４８を特定した入賞装置特定信号を伴った入賞信号が前記主制御装置ＣＴの信号出力手段８２から信号入力手段９０に入力されると、前記入賞球判定手段９４は、該入賞装置特定信号に対応した第１〜第８可変入賞装置４１〜４８が開放している状態におけるパチンコ球Ｂの入賞として判定するよう設定されている(図１１の欄Ｄ−３,Ｄ−４,Ｅ−３、図１２の欄Ｆ−３,Ｆ−４)。また、前記第２記憶手段９２が第１〜第８可変入賞装置４１〜４８を閉鎖状態として記憶している状態で、パチンコ球Ｂが入賞した入賞装置４１〜４８を特定した入賞装置特定信号を伴った入賞信号が前記主制御装置ＣＴの信号出力手段８２から信号入力手段９０に入力されると、前記入賞球判定手段９４は、該入賞装置特定信号に対応した第１〜第８可変入賞装置４１〜４８が閉鎖している状態におけるパチンコ球Ｂの入賞として判定するよう設定される(図１１の欄Ｄ−１,Ｅ−１、図１２の欄Ｆ−１)。そして、この入賞球判定手段９４の判定に基づいて、前記第１〜第８可変入賞装置４１〜４８毎に開放時の入賞球数と閉鎖時の入賞球とを前記カウント手段９６が個別にカウントするよう構成される。
【００５７】
このように、この試射試験手段ＰＣの信号入力手段９０に対して、入賞信号と入賞装置特定信号とが入力されることにより、何れの入賞装置３０,４１〜４９の入賞口３４ａ〜３４ｃ,４１ａ〜４９ａに対するパチンコ球Ｂの入賞があったかを入賞球判定手段９４が判定することができるから、各入賞装置３０,４１〜４９に対する個別の入賞球の総数を正確に判定することができる。更に、各入賞装置３０,４１〜４９に対する個別の入賞球の総数を判定することで、全入賞装置３０,４１〜４９に対する入賞球の総数をも正確に判定することができる。
【００５８】
ここで、図１０〜図１２に示すように、主制御装置ＣＴに設けた第１記憶手段８０には、前記信号出力手段８２から開放信号が出力された場合には、該開放信号に併せて出力された入賞装置特定信号に対応する前記第１〜第８可変入賞装置４１〜４８を開放状態として記憶される一方、該信号出力手段８２から閉鎖信号が出力された場合には、該閉鎖信号に併せて出力された入賞装置特定信号に対応する前記第１〜第８可変入賞装置４１〜４８を閉鎖状態として記憶される。そして、前記信号出力手段８２からは、前記第１記憶手段８０が記憶する各可変入賞装置４１〜４８の開閉状態に基づいて、前記試射試験手段ＰＣの信号入力手段９０に対して開放信号または閉鎖信号に併せて入賞装置特定信号が入力されるから、該信号入力手段９０に入力された開放信号または閉鎖信号と入賞装置特定信号とに基づいて、前記第２記憶手段９２の記憶状態を書き換えることにより、第１記憶手段８０が記憶する全ての可変入賞装置４１〜４８の開閉状態と、第２記憶手段９２が記憶する全ての可変入賞装置４１〜４８の開閉状態とが一致した状態となる(図１０の欄Ａ２〜４,Ｂ−２,Ｃ−２、図１１の欄Ｄ−２,Ｄ−５,Ｄ−６,Ｅ−２,Ｅ−４、図１２の欄Ｆ−２,Ｆ−５)。
【００５９】
そして、前記第１記憶手段８０が開放状態を記憶している可変入賞装置４１〜４８に対して入賞があった場合には、前述したように、当該入賞があった可変入賞装置４１〜４８を特定する入賞装置特定信号を伴った入賞信号が信号入力手段９０に入力され、このとき入賞装置特定信号に対応する可変入賞装置４１〜４８に関して第２記憶手段９２も開放状態を記憶しているから、入賞球判定手段９４は入賞装置特定信号により特定される可変入賞装置４１〜４８の開放時における入賞として判定することになる。すなわち、入賞球判定手段９４が判定した入賞球と可変入賞装置４１〜４８の開閉状態との関係は、パチンコ機１０において実際に入賞した可変入賞装置４１〜４８の開閉状態と一致する。そして、前記第１記憶手段８０が閉鎖状態を記憶している可変入賞装置４１〜４８に対して入賞があった場合にも同様に、入賞球判定手段９４が判定した入賞球と可変入賞装置４１〜４８の開閉状態との関係は、パチンコ機１０において実際に入賞した可変入賞装置４１〜４８の開閉状態と一致することになる。すなわち、各可変入賞装置４１〜４８について、開閉部材５４,５５が開放している状態でのパチンコ球Ｂの入賞球数と、開閉部材５４,５５が閉鎖している状態でのパチンコ球Ｂの入賞球数とを、試射試験手段ＰＣ(入賞球判定手段９４)で明確に区別して識別することができ、正確な入賞球検査を行ない得る。
【００６０】
更に、前記試射試験手段ＰＣの信号入力手段９０に対して入力される前記開放信号や閉鎖信号は、パチンコ機１０自体の主制御装置ＣＴがキープソレノイド６０を開閉制御する際に利用する信号である。このため、第１〜第８可変入賞装置４１〜４８の開閉状態に応じた入賞球数を検査するに際して、遊技盤２０等に開閉部材５４,５５の開閉状態を検知する別部材を取り付けることなく各入賞口４１ａ〜４８ａへの入賞球数を正確に検査することができ、検査コストの増大を防止し得ると共に、検査作業性の向上を図り得る。
【００６１】
(第１〜第６可変入賞装置について)
更に、開閉部材５４,５５の開閉状態が連動して変化する第１可変入賞装置４１と第２可変入賞装置４２、第３可変入賞装置４３と第４可変入賞装置４４、第５可変入賞装置４５と第６可変入賞装置４６の各組み合わせにおいて、各可変入賞装置４１〜４６の開閉状態とパチンコ球Ｂの入賞との関係に基づいた入賞球判定につき詳細に説明する。なお、第１可変入賞装置４１と第２可変入賞装置４２、第３可変入賞装置４３と第４可変入賞装置４４、第５可変入賞装置４５と第６可変入賞装置４６の各組み合わせにおける入賞球判定は同一に設定されており、以下の説明では、第１可変入賞装置４１と第２可変入賞装置４２の組み合わせに係るパチンコ球Ｂの入賞に対する入賞球判定についてのみ説明する。
【００６２】
(第１可変入賞装置の入賞口への入賞に対する信号出力制御)
前記第２記憶手段９２が前記第１可変入賞装置４１を閉鎖状態として記憶している状態で前記信号入力手段９０に対して第１可変入賞装置４１を特定する入賞装置特定信号を伴った入賞信号が入力された場合には、前記入賞球判定手段９４は、該第１可変入賞装置４１の閉鎖時における入賞として判定(図１１の欄Ｄ−１)して、前記カウント手段９６が第１可変入賞装置４１の閉鎖状態での入賞球数をカウントする。前記信号入力手段９０に対して第１可変入賞装置４１を特定する入賞装置特定信号を伴った入賞信号が入力された後には、前述したように、前記主制御装置ＣＴの信号出力手段８２から信号入力手段９０に対して第１可変入賞装置４１を特定する入賞装置特定信号を伴った開放信号が入力されるから、前記第２記憶手段９２における第１可変入賞装置４１の開閉状態の記憶が閉鎖状態から開放状態に書き換えられる(図１１の欄Ｄ−２)。そして、前記第２記憶手段９２が前記第１可変入賞装置４１を開放状態として記憶している状態で前記信号入力手段９０に対して第１可変入賞装置４１を特定する入賞装置特定信号を伴った入賞信号が入力された場合には、前記入賞球判定手段９４は、該第１可変入賞装置４１の開放時における入賞として判定して(図１１の欄Ｄ−３,Ｄ−４)、前記カウント手段９６が第１可変入賞装置４１の開放状態での入賞球数をカウントする。
【００６３】
前記第２記憶手段９２が第１可変入賞装置４１を開放状態として記憶している状態において、入賞信号および第１可変入賞装置４１に対応する入賞装置特定信号を伴った入賞信号が予め定めた回数(実施例では２回)だけ前記信号入力手段９０に入力された後には、前述したように、前記主制御装置ＣＴの信号出力手段８２から信号入力手段９０に対して、第１可変入賞装置４１を特定する入賞装置特定信号を伴った閉鎖信号が入力されると共に、第２可変入賞装置４２を特定する入賞装置特定信号を伴った開放信号が入力される。従って、前記第２記憶手段９２における第１可変入賞装置４１の開閉状態の記憶が開放状態から閉鎖状態に書き換えられると共に(図１１の欄Ｄ−５)、第２可変入賞装置４２の開閉状態の記憶が閉鎖状態から開放状態に書き換えられる(図１１の欄Ｄ−６)。
【００６４】
前記第２記憶手段９２が前記第２可変入賞装置４２を開放状態として記憶している状態で前記信号入力手段９０に対して第２可変入賞装置４２を特定する入賞装置特定信号を伴った入賞信号が入力された場合には、前記入賞球判定手段９４は、該第２可変入賞装置４２の開放時における入賞として判定して(図１１の欄Ｅ−３)、前記カウント手段９６が第２可変入賞装置４２の開放状態での入賞球数をカウントする。前記信号入力手段９０に対して第２可変入賞装置４２を特定する入賞装置特定信号を伴った入賞信号が入力された後には、前述したように、前記主制御装置ＣＴの信号出力手段８２から信号入力手段９０に対して、第２可変入賞装置４２を特定する入賞装置特定信号を伴った閉鎖信号が入力されるから、前記第２記憶手段９２における第２可変入賞装置４２の開閉状態の記憶が開放状態から閉鎖状態に書き換えられる(図１１の欄Ｅ−４)。
【００６５】
このように、パチンコ球Ｂの入賞により開閉部材５４,５５の開閉状態が連動する第１可変入賞装置４１(第３可変入賞装置４３、第５可変入賞装置４５)と、対応する第２可変入賞装置４２(第４可変入賞装置４４、第６可変入賞装置４６)とを設けた場合であっても、主制御装置ＣＴにおける信号出力手段８２から開放信号、閉鎖信号および入賞信号の出力に併せて可変入賞装置４１〜４６を特定する入賞装置特定信号が出力されるよう設定したことで、何れの可変入賞装置４１〜４６に対応した開放信号、閉鎖信号、入賞信号が入力されたかを試射試験手段ＰＣ(入賞球判定手段９４)で判定して、第２記憶手段９２に第１可変入賞装置４１(第３可変入賞装置４３、第５可変入賞装置４５)および第２可変入賞装置４２(第４可変入賞装置４４、第６可変入賞装置４６)の開閉状態を個別に記憶することができる。従って、前記第２記憶手段９２が記憶している可変入賞装置４１〜４６の開閉状態と、信号入力手段９０に入力される入賞装置特定信号および入賞信号とに基づいて入賞球判定手段９４が入賞球を判定することで、第１可変入賞装置４１(第３可変入賞装置４３、第５可変入賞装置４５)における開閉部材５４,５５が開放している状態での第１可変入賞装置４１(第３可変入賞装置４３、第５可変入賞装置４５)への入賞球数と、該第１可変入賞装置４１(第３可変入賞装置４３、第５可変入賞装置４５)における開閉部材５４,５５が閉鎖している状態での第１可変入賞装置４１(第３可変入賞装置４３、第５可変入賞装置４５)への入賞球数と、第２可変入賞装置４２(第４可変入賞装置４４、第６可変入賞装置４６)における開閉部材５４,５５が開放している状態での第２可変入賞装置４４(第４可変入賞装置４４、第６可変入賞装置４６)への入賞球数と、該第２可変入賞装置４２(第４可変入賞装置４４、第６可変入賞装置４６)における開閉部材５４,５５が閉鎖している状態での第２可変入賞装置４２(第４可変入賞装置４４、第６可変入賞装置４６)への入賞球数とを、正確に区別して識別することができる。すなわち、開閉状態が連動する第１〜第６可変入賞装置４１〜４６を設けることにより、開閉部材５４,５５の開閉状態と各可変入賞装置４１〜４６へ入賞したパチンコ球Ｂとの関係が複雑になっても、試射試験手段ＰＣが正確に識別できるから、各可変入賞装置４１〜４６の入賞口４１ａ〜４６ａへの入賞球数を開閉部材５４,５５の開閉状態に合わせて正確に検査することができる。
【００６６】
また、実施例では、第１可変入賞装置４１、第３可変入賞装置４３、第５可変入賞装置４５の夫々は、演出用入賞装置３０における中央入賞口３４ａおよび左右の入賞口３４ｂ,３４ｃへのパチンコ球Ｂの入賞との関係においても、開閉部材５４,５５の開閉状態が連動して開放するよう構成されて、各可変入賞装置４１〜４６の開閉状態と入賞したパチンコ球Ｂとの対応関係がより一層複雑になっている。この場合も、前述と同様に、演出用入賞装置３０における中央入賞口３４ａおよび左右の入賞口３４ｂ,３４ｃへのパチンコ球Ｂの入賞に応じて、第１可変入賞装置４１、第３可変入賞装置４３、第５可変入賞装置４５を特定する入賞装置特定信号と開放信号とが前記主制御装置ＣＴの信号出力手段８２から試射試験手段ＰＣの信号入力手段９０に入力されることで、該試射試験手段ＰＣの第２記憶手段９２が第１可変入賞装置４１、第３可変入賞装置４３、第５可変入賞装置４５の開閉状態を正確に記憶することができる。これにより、第１可変入賞装置４１、第３可変入賞装置４３、第５可変入賞装置４５に対する入賞装置特定信号と入賞信号とが信号入力手段９０に入力された際には、何れの入賞装置４１,４３,４５へのパチンコ球Ｂの入賞かを正確に識別し得ると共に、第２記憶手段９２の記憶に基づいて、これら第１、第３、第５可変入賞装置４１,４３,４５の開閉状態も正確に識別することができるから、各入賞装置４１,４３,４５の入賞口４１ａ,４３ａ,４５ａへの入賞球数を開閉部材５４,５５の開閉状態に合わせて正確に把握して検査することが可能となる。
【００６７】
更に、前記第１〜第６可変入賞装置４１〜４６が開放している状態では、開放している可変入賞装置４１〜４６に対応する入賞信号が前記信号出力手段８２から予め定めた回数だけ出力された後に、当該開放している可変入賞装置４１〜４６に対応する閉鎖信号および入賞装置特定信号が出力される。従って、可変入賞装置４１〜４６を開放させたまま複数個のパチンコ球Ｂを入賞させたとしても、試射試験手段ＰＣにおいて各可変入賞装置４１〜４６の夫々の開閉状態に応じた正確な入賞球数を識別することが可能となる。
【００６８】
また、主制御装置ＣＴは、パチンコ機１０の全体を制御する関係上、前記第１記憶手段８０が第１〜第８可変入賞装置４１〜４８の開閉状態を記憶するのに利用可能な記憶容量には限界がある。すなわち、前述のように第１〜第８可変入賞装置４１〜４８の開閉状態を第１記憶手段８０に記憶させるだけであれば、データ量も小さく、第１記憶手段８０の記憶容量を圧迫する虞はないものの、各入賞装置３０,４１〜４９の入賞球数や開閉状態に応じた入賞球数等までをも第１記憶手段８０に記憶させるには、データ量が膨大となることから困難である。なお、第１記憶手段８０として大容量の記憶手段を採用すれば、該第１記憶手段８０に入賞球数を記憶させることは可能となるが、セキュリティ等の関係からパチンコ機１０の主制御装置ＣＴには規定のものを採用することが規則上義務付けられており、第１記憶手段８０の大容量化を図ることは事実上不可能である。ここで、実施例では、パチンコ機１０の外部に設けた試射試験手段ＰＣに第２記憶手段９２を設けて、該第２記憶手段９２に第１〜第８可変入賞装置４１〜４８の開閉状態や、各入賞装置３０,４１〜４９の入賞球数、可変入賞装置４１〜４８の開閉状態に応じた入賞球数等を記憶するよう構成されているから、パチンコ機１０の主制御装置ＣＴに搭載する第１記憶手段８０の記憶容量を変更することなく入賞球数の検査を確実になし得る利点がある。
【００６９】
また、パチンコ機１０の電源投入時に前記信号出力手段８２が全ての可変入賞装置４１〜４８に対する閉鎖信号を試射試験手段ＰＣへ出力するよう設定したことで、各可変入賞装置４１〜４８における開閉部材５４,５５の状態を該試射試験手段ＰＣが認識することができ、各可変入賞装置４１〜４８の開閉状態に応じた正確な入賞球数を識別することができる。
【００７０】
ところで、入賞口４１ａ〜４８ａに入賞したパチンコ球Ｂの重量により機械的に開閉部材５４,５５を動作させる構成では、開閉部材５４,５５の開閉不良が発生した場合には、第１記憶手段８０や第２記憶手段９２が記憶する可変入賞装置４１〜４８の開閉状態と、実際の可変入賞装置４１〜４８の開閉状態とが異なることが起こり得る。そこで、実施例では、第１〜第８可変入賞装置４１〜４８の開閉部材５４,５５を開閉する駆動源としてキープソレノイド６０を用いたことで、該可変入賞装置４１〜４８の入賞口４１ａ〜４８ａへ入賞するパチンコ球Ｂの飛び込み方向や速度とは関係なく入賞したパチンコ球Ｂを入賞球検出センサ７７が確実に検出することができる。すなわち、入賞球検出センサ７７の検出信号に基づいて各可変入賞装置４１〜４８の開閉部材５４,５５を開閉作動させることができるから、第１記憶手段８０や第２記憶手段９２が記憶する可変入賞装置４１〜４８の開閉状態と、実際の可変入賞装置４１〜４８の開閉状態とを確実に一致させることができ、試射試験手段ＰＣにおける入賞球の検査結果の信頼性を向上し得る。
【００７１】
また、実施例に係るパチンコ機１０のように、入賞口３４ａ〜３４ｃ,４１ａ〜４８ａへのパチンコ球Ｂの入賞に応じて開閉部材５４,５５を開閉させる仕様では、入賞間隔によって開閉部材５４,５５が閉鎖位置や開放位置で長時間保持されることがある。そこで、実施例に係るパチンコ機１０では、各可変入賞装置４１〜４８の開閉部材５４,５５を開閉駆動する駆動源としてキープソレノイド６０を用いたことで、該キープソレノイド６０に通電することなく開閉部材５４,５５を閉鎖位置や開放位置で保持でき、ソレノイド６０の発熱等の不具合が発生することはない。
【００７２】
〔変更例〕
なお、本発明に係る入賞球検査システムとしては、実施例のものに限られるものではなく、種々の変更が可能である。
実施例では、可変入賞装置の開閉部材を開閉駆動するキープソレノイドとして、プランジャを弾性部材の弾性力により常に前方へ向けて付勢するよう構成されたものを例示したが、これに限定されるものではない。例えば、通電によりプランジャを移動させる２つのコイルを独立して備え、一方のコイルに対して通電(第１の通電状態)して励磁することでプランジャが後方移動し、永久磁石の吸着力により通電停止してもプランジャが後方移動した状態で保持されると共に、他方のコイルに通電(第２の通電状態)して励磁することでプランジャが前方移動し、永久磁石の吸着力により通電停止してもプランジャが前方移動した状態で保持されるよう構成されたタイプのキープソレノイドも好適に採用し得る。
【００７３】
実施例では、遊技機側に設けた制御手段の信号出力手段から開放信号、閉鎖信号および入賞信号の出力に併せて可変入賞装置を特定する入賞装置特定信号を試射試験手段の信号入力手段へ出力するよう設定したが、可変入賞装置が単数設けられた遊技機に対しては、信号出力手段から開放信号、閉鎖信号および入賞信号の夫々が出力されるよう設定してもよい。この場合でも、信号出力手段から出力される開放信号、閉鎖信号に応じて、試射試験手段の記憶手段の記憶状態を書き換えることで、実施例と同様に、可変入賞装置の開閉状態に応じた遊技球の入賞を正確に判定することができる。すなわち、試射試験手段の記憶手段は、信号入力手段に対して開放信号が入力された場合には可変入賞装置を開放状態として記憶する一方、該信号入力手段に対して閉鎖信号が入力された場合には可変入賞装置を閉鎖状態として記憶するよう設定される。そして、入賞球判定手段は、この記憶手段が可変入賞装置を開放状態として記憶している状態で信号入力手段に対して入賞信号が入力された場合には、可変入賞装置の開放時における入賞として判定する一方、該記憶手段が可変入賞装置を閉鎖状態として記憶している状態で信号入力手段に対して入賞信号が入力された場合には、可変入賞装置の閉鎖時における入賞として判定するよう設定される。
【００７４】
実施例は、２つの可変入賞装置(第１可変入賞装置と第２可変入賞装置、第３可変入賞装置と第４可変入賞装置、第５可変入賞装置と第６可変入賞装置)において、遊技球の入賞により開閉部材の開閉状態が連動して変化する例を示したが、遊技球の入賞により３つ以上の可変入賞装置が連動するよう構成してもよい。これとは反対に、連動しない可変入賞装置(すなわち実施例における第７、第８可変入賞装置)のみを設けるよう構成することも可能である。
【００７５】
実施例では、可変入賞装置とは別に設けた演出用入賞装置の入賞口への遊技球の入賞により、可変入賞装置における開閉部材が連動して開放するよう構成したが、これに限られるものではなく、可変入賞装置における開閉部材の開閉を演出用入賞装置の入賞口への入賞とは独立させることも当然可能である。
【００７６】
また、本発明に係る入賞球検査システムは、以下のように構成することも可能である。
(Ａ)  請求項１に係る入賞球検査システムに関して、前記制御手段(CT)は、前記信号出力手段(82)から開放信号が出力された場合には前記入賞装置(41〜48)を開放状態として記憶する一方、該信号出力手段(82)から閉鎖信号が出力された場合には入賞装置(41〜48)を閉鎖状態として記憶する記憶手段(80)を有し、
前記信号出力手段(82)は、
前記制御手段(CT)の記憶手段(80)が前記入賞装置(41〜48)を閉鎖状態として記憶している状態で前記入賞球検出手段(77)から検出信号が入力された場合には、前記試射試験手段(PC)に対して入賞信号を出力した後に開放信号を出力するよう設定されると共に、
前記制御手段(CT)の記憶手段(80)が前記入賞装置(41〜48)を開放状態として記憶している状態で前記入賞球検出手段(77)から検出信号が入力された場合には、該検出信号が入力される毎に前記試射試験手段(PC)に対して入賞信号を出力し、入賞信号の出力回数が予め定めた回数に達した後に閉鎖信号を出力するよう設定されることを要旨とする。
【００７７】
この構成によれば、制御手段に設けた記憶手段に、前記信号出力手段から開放信号が出力された場合には入賞装置を開放状態として記憶させると共に、該信号出力手段から閉鎖信号が出力された場合には入賞装置を閉鎖状態として記憶させたから、該記憶手段の記憶に基づいて前記信号出力手段から試射試験手段に対して入賞信号と、開放信号または閉鎖信号とを出力するよう構成することにより、該試射試験手段において入賞装置の開閉状態に応じた正確な入賞球数を識別することができる。
また、前記入賞装置が開放している状態では、前記信号出力手段から予め定めた回数だけ入賞信号が出力された後に閉鎖信号が出力されるから、入賞装置を開放させたまま複数個の遊技球を入賞させたとしても、試射試験手段において入賞装置の開閉状態に応じた正確な入賞球数を識別することが可能である。
【００７８】
(Ｂ)  請求項２に係る入賞球検査システムに関して、前記制御手段(CT)は、前記信号出力手段(82)から開放信号が出力された場合には、該開放信号に併せて出力された入賞装置特定信号に対応する前記第１の入賞装置(41,43,45)または第２の入賞装置(42,44,46)を開放状態として記憶する一方、該信号出力手段(82)から閉鎖信号が出力された場合には、該閉鎖信号に併せて出力された入賞装置特定信号に対応する前記第１の入賞装置(41,43,45)または第２の入賞装置(42,44,46)を閉鎖状態として記憶する記憶手段(80)を有し、
前記信号出力手段(82)は、
前記制御手段(CT)の記憶手段(80)が前記第１の入賞装置(41,43,45)を閉鎖状態として記憶している状態で第１の入賞装置(41,43,45)に対応する入賞球検出手段(77)から検出信号が入力された場合には、入賞信号に併せて第１の入賞装置(41,43,45)に対応する入賞装置特定信号を前記試射試験手段(PC)へ出力した後に、開放信号に併せて当該第１の入賞装置(41,43,45)に対応する入賞装置特定信号を試射試験手段(PC)へ出力するよう設定され、
前記制御手段(CT)の記憶手段(80)が前記第１の入賞装置(41,43,45)を開放状態として記憶している状態で第１の入賞装置(41,43,45)に対応する入賞球検出手段(77)から検出信号が入力された場合には、該検出信号が入力される毎に入賞信号に併せて第１の入賞装置(41,43,45)に対応する入賞装置特定信号を前記試射試験手段(PC)へ出力し、入賞信号の出力回数が予め定めた回数に達した後に、閉鎖信号に併せて第１の入賞装置(41,43,45)に対応する入賞装置特定信号を前記試射試験手段(PC)へ出力して、更にその後に前記第２の入賞装置(42,44,46)に対する開放信号および入賞装置特定信号を信号入力手段(90)へ出力するよう設定され、
前記制御手段(CT)の記憶手段(80)が前記第２の入賞装置(42,44,46)を閉鎖状態として記憶している状態で第２の入賞装置(42,44,46)に対応する入賞球検出手段(77)から検出信号が入力された場合には、入賞信号に併せて第２の入賞装置(42,44,46)に対応する入賞装置特定信号を前記試射試験手段(PC)へ出力した後に、開放信号に併せて当該第２の入賞装置(42,44,46)に対応する入賞装置特定信号を試射試験手段(PC)へ出力するよう設定され、
前記制御手段(CT)の記憶手段(80)が前記第２の入賞装置(42,44,46)を開放状態として記憶している状態で第２の入賞装置(42,44,46)に対応する入賞球検出手段(77)から検出信号が入力された場合には、該検出信号が入力される毎に入賞信号に併せて第２の入賞装置(42,44,46)に対応する入賞装置特定信号を前記試射試験手段(PC)へ出力し、入賞信号の出力回数が予め定めた回数に達した後に、閉鎖信号に併せて第２の入賞装置(42,44,46)に対応する入賞装置特定信号を前記試射試験手段(PC)へ出力するよう設定されることを要旨とする。
【００７９】
この構成によれば、制御手段に設けた記憶手段には、前記信号出力手段から開放信号が出力された場合には、該開放信号に併せて出力された入賞装置特定信号に対応する前記第１の入賞装置または第２の入賞装置を開放状態として記憶される一方、該信号出力手段から閉鎖信号が出力された場合には、該閉鎖信号に併せて出力された入賞装置特定信号に対応する前記第１の入賞装置または第２の入賞装置を閉鎖状態として記憶される。これにより、該記憶手段の記憶に基づいて前記信号出力手段から試射試験手段に対して入賞信号に併せて入賞装置特定信号と、開放信号または閉鎖信号に併せて入賞装置特定信号とを出力することにより、該試射試験手段において第１の入賞装置および第２の入賞装置の夫々の開閉状態に応じた正確な入賞球数を識別することができる。
また、前記第１の入賞装置や第２の入賞装置が開放している状態では、開放している入賞装置に対応する入賞信号が前記信号出力手段から予め定めた回数だけ出力された後に、当該開放している入賞装置に対応する閉鎖信号および入賞装置特定信号が出力されるから、第１の入賞装置や第２の入賞装置を開放させたまま複数個の遊技球を入賞させたとしても、試射試験手段において第１の入賞装置および第２の入賞装置の夫々の開閉状態に応じた正確な入賞球数を識別することが可能である。
【００８０】
(Ｃ)  請求項１〜３の何れか一項、または前記(Ａ),(Ｂ)に記載の入賞球検査システムに関して、前記信号出力手段(82)は、前記遊技機(10)への電源投入時には全ての入賞装置(41〜48)に対する閉鎖信号を前記試射試験手段(PC)へ出力するよう設定されることを要旨とする。
【００８１】
この構成によれば、遊技機の電源投入時に前記信号出力手段が全ての入賞装置に対する閉鎖信号を試射試験手段へ出力することで、各入賞装置における開閉部材の状態を該試射試験手段が認識することができ、各入賞装置の開閉状態に応じた正確な入賞球数を識別することができる。
【図面の簡単な説明】
【００８２】
【図１】本発明の実施例に係るパチンコ機の主制御装置および試射試験手段の接続状態を示すブロック図である。
【図２】実施例に係るパチンコ機の正面図を示すと共に、パチンコ機と機外の試射試験手段との接続状態を概略で示す説明図である。
【図３】実施例に係る遊技盤を示す正面図である。
【図４】実施例に係る可変入賞装置の平面図である。
【図５】実施例に係る可変入賞装置の正面図である。
【図６】実施例に係る可変入賞装置の要部を示す概略平面図である。
【図７】実施例に係る可変入賞装置を示す側面図である。
【図８】実施例に係る可変入賞装置の作用を示す概略説明図であって、(ａ)は開閉部材の閉鎖状態を示し、(ｂ)は開閉部材の開放状態を示す。
【図９】揺動部材および第１,第２羽根部材を示す平面図である。
【図１０】実施例に係る演出用入賞装置に対する入賞に関して、主制御装置の制御処理と試射試験手段の制御処理との関係を示す説明図である。
【図１１】実施例に係る第１および第２可変入賞装置に対する入賞に関して、主制御装置の制御処理と試射試験手段の制御処理との関係を示す説明図である。
【図１２】実施例に係る第７可変入賞装置に対する入賞に関して、主制御装置の制御処理と試射試験手段の制御処理との関係を示す説明図である。
【符号の説明】
【００８３】
１０  パチンコ機(遊技機)
３０  演出用入賞装置(別の入賞装置)
３４ａ  中央入賞口(別の入賞装置の入賞口)
３４ｂ  右入賞口(別の入賞装置の入賞口)
３４ｃ  左入賞口(別の入賞装置の入賞口)
４１  第１可変入賞装置(入賞装置、第１の入賞装置)
４２  第２可変入賞装置(入賞装置、第２の入賞装置)
４３  第３可変入賞装置(入賞装置、第１の入賞装置)
４４  第４可変入賞装置(入賞装置、第２の入賞装置)
４５  第５可変入賞装置(入賞装置、第１の入賞装置)
４６  第６可変入賞装置(入賞装置、第２の入賞装置)
４７  第７可変入賞装置(入賞装置)
４８  第８可変入賞装置(入賞装置)
４１ａ〜４８ａ  入賞口
５４  開閉部材
５５  開閉部材
６０  キープソレノイド
７７  入賞球検出センサ
８２  信号出力手段
９０  信号入力手段
９２  第２記憶手段(試射試験手段の記憶手段)
９４  入賞球判定手段
Ｂ  パチンコ球(遊技球)
ＣＴ  主制御装置(制御手段)
ＰＣ  試射試験手段
【図１】
0004767932.tif 000002
【図２】
0004767932.tif 000003
【図３】
0004767932.tif 000004
【図４】
0004767932.tif 000005
【図５】
0004767932.tif 000006
【図６】
0004767932.tif 000007
【図７】
0004767932.tif 000008
【図８】
0004767932.tif 000009
【図９】
0004767932.tif 000010
【図１０】
0004767932.tif 000011
【図１１】
0004767932.tif 000012
【図１２】
0004767932.tif 000013